(57)【要約】【課題】  グループ通信リンク確立後、端末の送信権の移動に伴う通信パスの瞬断を無くし、また、プレストーク信号を使わない指令局にも対応可能なグループ通信回線接続によるデジタル移動無線システムを提供することを目的とする。【解決手段】  複数の指令局と複数の移動局とが複数の基地局を介して通信リンクを為すデジタル移動無線システムにおいて、前記複数の指令局と複数の基地局は交換制御を行う回線制御装置が接続され、該回線制御装置は、任意の指令局と複数の移動局、若しくは複数の移動局が音声通信によるグループ通信を行う場合、通信リンク接続時の通話パスを、下り通話パスには当該グループ通信を構成する各局からの音声入力を加算した音声信号を中継し、且つ、上り通話パスには該全加算音声入力から当該指令局の音声入力信号を減じた音声信号を中継する会議トランクを備えたことを特徴とする。【選択図】  図１
2005151239.tif 000002
【特許請求の範囲】
【請求項１】
複数の指令局と複数の移動局とが複数の基地局を介して通信リンクを為すデジタル移動無線システムにおいて、
前記複数の指令局と複数の基地局は交換制御を行う回線制御装置が接続され、
該回線制御装置は、任意の指令局と複数の移動局、若しくは複数の移動局が音声通信によるグループ通信を行う場合、通信リンク接続時の通話パスを、下り通話パスには当該グループ通信を構成する各局からの音声入力を加算した音声信号を中継し、且つ、上り通話パスには該全加算音声入力から当該指令局の音声入力信号を減じた音声信号を中継する会議トランクを備えたことを特徴とするデジタル移動無線システム。
【請求項２】
複数の移動局と、複数の指令局と、複数の基地局と、通信リンクの交換制御を行う回線制御装置から構成されるデジタル移動無線システムにおいて、
前記回線制御装置は、音声信号にて指令局と複数の移動局間、あるいは、複数の移動局間相互が、1対ｎで通信を行うグループ通信リンク接続時の通話パスを、全ての基地局に対する下り通話パスには、当該グループ通信を構成する装置からの全音声入力を加算した音声信号を中継し、
指令局に対する通話パスには該全加算音声入力から自指令局の音声入力信号を減じた音声信号を中継することにより、
グループ通信の通信リンク確立後は、移動局若しくは指令局の送信権が移動した場合に通話パスの切り換えを行うことなく音声信号の中継を維持するグループ通信回線接続とすることを特徴とするデジタル移動無線システム。
【発明の詳細な説明】
【技術分野】
【０００１】
本発明は、デジタル移動無線システムにおけるグループ通信の回線接続に関し、特に、複数の移動局と指令局間でグループ通信を行う際の回線接続の制御に関するものである。
【背景技術】
【０００２】
図４は、従来のデジタル移動無線システムの一例を示す。
この図４は、複数の指令局４０１、４０２と、複数の基地局２０１〜２０３と、複数の移動局１０１〜１０５と、回線制御装置３００とより構成され、回線制御装置３００内には、基地局インタフェース３１１〜３１３と、通話路の時分割スイッチ３２０と、折返し機能と音声符号変換を行う音声符合変換部３３１、３３２と、音声ミックス部３４１と、指令局インタフェース３５１、３５２と、音声出力インタフェース３６１と、ミックスモニタスピーカ４１１とより構成される。
音声符合変換部３３１、３３２は、各基地局から送られて来るＥＬＣＥＬＰ方式の音声信号をＳＥＬ部にて当該基地局に折り返す機能とＥＬＣＥＬＰ方式の音声信号をＰＣＭ方式の音声信号に変換し、またはその逆のＰＣＭ方式からＥＬＣＥＬＰ方式への変換機能を有している。
【０００３】
例えば、送信権を有する移動局１０１の音声信号は、基地局２０１、基地局インタフェース３１１、時分割スイッチ３２０を介して、音声符号変換部３３１に入力される。
そして、ＳＥＬ部で音声信号は折り返され、基地局インタフェース３１１、基地局２０１、及び基地局インタフェース３１２、基地局２０２を介して移動局１０２、及び１０３に中継される。
また、音声符号変換部３３１によりＰＣＭ方式の音声信号に変換され、指令局インタフェース３５１を介して、指令局４０１に送信される。
ここで、送信権が移動局１０１から移動局１０３に移動すると、基地局インタフェース３１１と音声符号変換部３３１間の通話パスは解放されて、基地局インタフェース３１２と音声符号変換部３３１間の通話パスが接続される。
なお、送信権の移動は、図示していない制御チャネル（制御ＣＨ）を使って、移動局が発するプレストーク信号に従ってなされる。
【０００４】
一方、指令局４０１が送信する場合は、回線制御装置３００において、指令局４０１が発するプレストーク信号を検出して、音声符号変換部３３１のＳＥＬ部の接続を図中の実線から点線の側に切り換えることにより、移動局１０１の音声信号を基地局２０１に中継するのを停止し、指令局４０１の音声信号をＥＬＣＥＬＰ方式の音声信号に変換し、基地局２０１、２０２に中継することで通話パスが確立する。
【０００５】
このように従来のシステムにおいては、移動局からの送信が在圏する基地局が変わる毎に、あるいは、送信権が移動局から指令局に、または指令局から移動局に変わる毎に回線制御装置の通話パスを切り換えているため、送信権が移動する際に時分割スイッチ３２０の接続切り換え、あるいは、音声符号変換部３３１のＳＥＬ部の切り換えが発生し、通話パスの瞬断が生じてしまう。
また、通話パス接続には指令局からのプレストーク信号が送信されることが不可欠な動作となってしまう。
【０００６】
また、従来のデジタル移動無線システムに関する技術として例えば特許文献１がある。
【０００７】
【特許文献１】特開２００２−２１８０６８号公報
【発明の開示】
【発明が解決しようとする課題】
【０００８】
前述した従来のデジタル移動無線システムは、送信端末が変ると通話パスが瞬断するため、迅速な通話応答に対応できない場合があるという問題点があった。
また、通話パスの切り換えを端末から送られるプレストーク信号によるため、プレストーク信号を使わない指令局には対応できないという問題点があった。
【０００９】
本発明は上記従来技術に鑑みて為されたもので、グループ通信リンク確立後、端末の送信権の移動に伴う通信パスの瞬断を無くし、また、プレストーク信号を使わない指令局にも対応可能なグループ通信回線接続によるデジタル移動無線システムを提供することを目的とする。
【課題を解決するための手段】
【００１０】
上記従来の問題点を解決するため本発明は、複数の指令局と複数の移動局とが複数の基地局を介して通信リンクを為すデジタル移動無線システムにおいて、前記複数の指令局と複数の基地局は交換制御を行う回線制御装置が接続され、該回線制御装置は、任意の指令局と複数の移動局、若しくは複数の移動局が音声通信によるグループ通信を行う場合、通信リンク接続時の通話パスを、下り通話パスには当該グループ通信を構成する各局からの音声入力を加算した音声信号を中継し、且つ、上り通話パスには該全加算音声入力から当該指令局の音声入力信号を減じた音声信号を中継する会議トランクを備えたことを特徴とする。
【００１１】
また、上記従来の問題点を解決するため本発明は、複数の移動局と、複数の指令局と、複数の基地局と、通信リンクの交換制御を行う回線制御装置から構成されるデジタル移動無線システムにおいて、前記回線制御装置は、音声信号にて指令局と複数の移動局間、あるいは、複数の移動局間相互が、1対ｎで通信を行うグループ通信リンク接続時の通話パスを、全ての基地局に対する下り通話パスには、当該グループ通信を構成する装置からの全音声入力を加算した音声信号を中継し、指令局に対する通話パスには該全加算音声入力から自指令局の音声入力信号を減じた音声信号を中継することにより、グループ通信の通信リンク確立後は、移動局若しくは指令局の送信権が移動した場合に通話パスの切り換えを行うことなく音声信号の中継を維持するグループ通信回線接続とすることを特徴とする。
【発明の効果】
【００１２】
本発明により、グループ通信リンク確立後の移動局の送信権移動に伴う通話パス瞬断を無くし、迅速な送信権移動と迅速な通話応答に対応可能となるデジタル移動無線システムを提供することができる。
また本発明により、プレストーク信号を有しない指令局に対してもグループ通信機能を行うことが可能となるデジタル移動無線システムを提供することができる。
【発明を実施するための最良の形態】
【００１３】
本発明の実施の形態について図面を参照しながら説明する。
図１は、本発明の実施の形態であるデジタル移動無線システムを示す。
この図１は、本発明による移動無線システムにおけるグループ通信回線接続方式の実施の形態を示すものであり、複数の指令局４０１、４０２と、複数の基地局２０１〜２０３と、複数の移動局１０１〜１０５と、回線制御装置３１０とより構成され、回線制御装置３１０内には、基地局インタフェース３７１〜３７３と、通話路の時分割スイッチ３２０と、会議トランク３８１、３８２と、音声ミックス部３４１と、指令局インタフェース３５１、３５２と、音声出力インタフェース３６１と、ミックスモニタスピーカ４１１とより構成される。
ここで、基地局インタフェース３７１〜３７３は、従来の基地局インタフェース３１１〜３１３の機能に比べ、音声符号変換機能が追加されており、ＥＬＣＥＬＰ方式からＰＣＭ方式の音声信号へ変換し、またはその逆のＰＣＭ方式からＥＬＣＥＬＰ方式への変換機能を有している。
【００１４】
図５は、本発明の実施の形態であるデジタル移動無線システムに用いられる会議トランクを示し、図５（ａ）は入出力ポートのイメージ図、図５（ｂ）は入出力信号の端子とその入出力先のテーブル図を示す。
例えば、出力端子Ｏ１を下り信号として接続し、上り信号を入力端子Ｉ３、Ｉ４、・・・、Ｉｎに接続することにより、入力端子Ｉ２、Ｉ３、・・・、Ｉｎの入力信号を加算した信号、すなわち、全加算した信号が出力端子Ｏ１から出力される。
【００１５】
図１による本発明の実施の形態においては、例えば、会議トランク３８１の１番出力を当該グループ通信を構成する基地局の下り通話パスに接続し、各基地局からの上り通話パスを会議トランク３８１の３番、４番、・・・ｎ番の入力に接続することにより、グループ通信を構成する全基地局及び指令局からの音声入力信号を加算した信号、すなわち、会議トランク３８１の２番、３番、４番入力を全加算した１番出力の信号を各基地局に中継していることとなる。
そして、移動局１０２は基地局２０１の下り信号に含まれる移動局１０１の音声信号が受信される。
一方、指令局４０１が送信した音声信号を当該指令局４０１に戻さないようにしている。
このような発明の実施の形態により、移動局または指令局からの送信権が移動した場合でも、通話パスの接続変えをする必要がないので、グループ通信リンク確立後の通話パスの瞬断は発生しない。
また、通話パスの切り換えをしないので、回線制御装置は指令局からのプレストーク信号の受信も不要となる。
【００１６】
次に本発明の実施の形態であるデジタル無線システムの動作を図２及び図３を用いて説明する。
図２は、本発明の実施の形態であるデジタル無線システムの動作を説明する第１実施例を示す。
この図２は、デジタル移動無線システムのグループ通信時の通信リンク接続動作を示し、移動局１０１〜１０５、基地局２０１〜２０３、回線制御装置３１０、指令局４０１、４０２は、前述した図１と同様である。
この第１実施例において、移動局１０１、１０２は点線で示しているように基地局２０１に位置登録しており、基地局２０１の基地局ゾーンに在圏している。
同様に、移動局１０３は基地局２０２の基地局ゾーン、移動局１０４、１０５は基地局２０３の基地局ゾーンに在圏している。
【００１７】
図３は、本発明の実施の形態であるデジタル無線システムの動作を説明する第２実施例を示す。
この図３は、移動局からグループ通信で移動局及び指令局を呼ぶ場合の通信リンクを簡易的に説明する図である。
この第２実施例において、移動局１０１〜１０３、指令局４０１は同じグループに所属している。
また、移動局１０４、１０５、指令局４０２は同じグループに所属している。
ここで、移動局１０１が発呼者であり、当該移動局１０１がグループ通信を発呼すると、呼接続要求は基地局２０２から回線制御装置３１０に為され、回線制御装置３１０から基地局２０１、２０２にグループ通信呼設定要求が出される。
また指令局に対してもグループ通信着信接続を行う。
これによって、移動局１０２、１０３が当該グループ通信に１点鎖線で示されるように引き込まれる。
同様に、他のグループである移動局１０４、１０５、基地局２０３、回線制御装置３１０、指令局４０２のグループ通信リンクが１点鎖線で示されるように接続される。
このような動作によって、前述した図１によるグループ通信が確立され、移動局または指令局からの送信権が移動した場合でも、通話パスの接続変えをする必要がなく、グループ通信リンク確立後の通話パスの瞬断は発生しないこととなる。
【００１８】
上述した図２の第１実施例及び図３の第２実施例により、回線制御装置内に会議トランクを設け、会議トランクの入出力端子と複数の基地局、指令局間を時分割通話路スイッチで接続することにより、移動局または指令局の送信権の移動に左右されずに、送信権を有する端末からの音声信号を、他の受信端末（移動局や指令局）に中継することができる。
【００１９】
以上、詳細に説明したように本発明の実施の形態によると、基地局及び指令局からの音声信号を加算して出力する会議トランクを使い、全ての基地局に対する下り通話パスには、全入力を加算した音声信号を中継し、指令局に対する通話パスには全入力から当該指令局の音声入力のみを減じた音声信号を中継することにより、グループ通信の通信リンク確立後は、送信端末の在圏する基地局が変わっても、あるいは送信端末が指令局に変っても、回線制御装置の時分割スイッチの通話パスを切り換える必要がなく、通話パスの瞬断は発生しないデジタル移動無線システムとするものである。
また、通話パスの切り換えがないため、指令局からのプレストーク信号は不要であり、プレストークスイッチを設けない指令局に対しても対応可能な方式とするものである。
【００２０】
したがって、通信情報の共有化のためのグループ通信機能（単信方式の１：ｎ通信）が必要である場合に、従来の１：ｎ通信の回線制御方式においては、同時送信許容端末が１台であり、他は全て受信状態となる事から、且つ回線制御装置が移動局あるいは指令局から発せられるプレストーク信号により、送信許容端末を管理するため、回線制御装置の時分割スイッチの中で、送信端末からの上り通話パスを全ての受信端末に対応する下り通話パスに中継する方式としていたため、送信端末の在圏する基地局が変わる毎に、あるいは送信指令局が変わる毎に回線制御装置内の時分割スイッチの通話パスを切り換えるため、通話パスの瞬断が発生してしまう、また、指令局の使い勝手によっては、プレストーク信号を発するプレストークスイッチを設けない場合があり、この場合は対応できないということを解決するデジタル移動無線システムを提供することができる。
【００２１】
すなわち、本発明によると、複数の移動局、複数の指令局、複数の基地局、通信リンクの交換制御を行う回線制御装置から構成されるデジタル移動無線システムにおいて、音声で指令局と複数の移動局間あるいは複数移動局相互が、1対ｎで通信を行うグループ通信リンク接続時の通話パスを、複数の基地局及び指令局相互を回線制御装置内に設けた会議トランクを使用し、全ての基地局に対する下り通話パスには、当該グループ通信を構成する装置からの全音声入力を加算した音声信号を中継し、指令局に対する通話パスには該全加算音声入力から自指令局の音声入力信号を減じた音声信号を中継することにより、グループ通信の通信リンク確立後は、送信権移動に伴い送信端末が変っても通話パスの切り換えを必要としないグループ通信回線接続を提供するデジタル移動無線システムを提供するものである。
【図面の簡単な説明】
【００２２】
【図１】本発明の実施の形態であるデジタル移動無線システムを示す。
【図２】本発明の実施の形態であるデジタル無線システムの動作を説明する第１実施例を示す。
【図３】本発明の実施の形態であるデジタル無線システムの動作を説明する第２実施例を示す。
【図４】従来のデジタル移動無線システムの一例を示す。
【図５】本発明の実施の形態であるデジタル移動無線システムに用いられる会議トランクを示し、（ａ）は入出力ポートのイメージ図、（ｂ）は入出力信号の端子とその入出力先のテーブル図を示す。
【符号の説明】
【００２３】
１０１、１０２、１０３、１０４、１０５：移動局、
２０１、２０２、２０３：基地局、
３００、３１０：回線制御装置、
３１１、３１２、３１３：基地局インタフェース、
３２０：時分割スイッチ、
３３１、３３２：音声符号変換部、
３４１：音声ミックス装置、
３５１、３５２：指令局インタフェース、
３６１：音声出力インタフェース、
３７１、３７２、３７３：基地局インタフェース（音声符号変換機能含む）、
３８１、３８２：会議トランク、
４０１、４０２：指令局。
【図１】
2005151239.tif 000003
【図２】
2005151239.tif 000004
【図３】
2005151239.tif 000005
【図４】
2005151239.tif 000006
【図５】
2005151239.tif 000007